(57)【要約】【課題】血液Ｓの定量採取及びその血液Ｓと試薬Ｒとの定量混合を簡単且つ確実に行うことである。【解決手段】一端に開口を有する採血管本体２１と、血液導入口、及びその血液導入口と前記採血管本体２１とを連通する血液流路を有する蓋部材２２と、を具備し、前記採血管本体２１が、減圧吸引作用により前記血液導入口２２１Ａから血液Ｓを吸引する減圧採血室２１Ａ、及び前記血液Ｓを希釈する試薬Ｒを収容する試薬収容室２１Ｂを有し、前記蓋部材２２が、前記血液流路から所定量の血液Ｓを採取して、前記試薬収容室２１Ｂ内に導入する定量採取部２２２を有するものである。【選択図】図１
2008154702.tif 000002
【特許請求の範囲】
【請求項１】
一端に開口を有する採血管本体と、
血液導入口、及びその血液導入口と前記採血管本体とを連通する血液流路を有する蓋部材と、を具備し、
前記採血管本体が、前記血液導入口から血液を吸引する減圧採血室、及び前記血液と混合する試薬を収容する試薬収容室を有し、
前記蓋部材が、前記血液流路から所定量の血液を採取して、前記試薬収容室内に導入する定量採取部を有するものである定量採血管。
【請求項２】
前記定量採取部が、前記採血管本体に対して相対移動することにより、前記血液流路の一部を移動させて、その流路を前記試薬収容室に連通させるものである請求項１記載の定量採血管。
【請求項３】
請求項１又は２記載の定量採血管と、その定量採血管が挿入される採血ホルダと、を備えた定量採血器具。
【発明の詳細な説明】
【技術分野】
【０００１】
本発明は、血液を採取するための採血管に関するものである。
【背景技術】
【０００２】
例えば血液を分析する場合、前処理工程として、真空採血管又はシリンジなどで採血する工程、ガラスキャピラリー管又はピペット等を用いて、真空採血管内の血液を一定量採取する工程、及び一定量採取した血液を一定量の試薬の入った容器に導入して、振動装置などを用いて混合する工程がある。
【０００３】
しかしながら、上述したように作業工程が多く、特にガラスキャピラリー管又はピペット等を用いて血液を一定量採取する作業には熟練が必要である。
【０００４】
一方、特許文献１に示すように、血液を収容する採血管を血液分析装置に導入して、一定量の血液及び試薬を自動で吸い取り、同一の容器内に導入して定量混合を行うものがある。
【０００５】
しかしながら、この定量混合は、当該血液分析装置専用に行うものであり、その混合液体を他の分析装置に用いることができない。また、血液分析装置内に一体に設けられた機構により定量混合を行うものであり、血液を定量混合する為だけに用いる場合でも、血液分析装置を用いる必要があり、作業が大がかりになってしまう。
【特許文献１】特開２００２−５５０６９号公報
【発明の開示】
【発明が解決しようとする課題】
【０００６】
そこで本発明は、血液の定量採取及びその血液と試薬との定量混合を簡単且つ確実に行うことをその主たる所期課題とするものである。
【課題を解決するための手段】
【０００７】
すなわち本発明に係る定量採血管は、一端に開口を有する採血管本体と、血液導入口、及びその血液導入口と前記採血管本体とを連通する血液流路を有する蓋部材と、を具備し、前記採血管本体が、減圧吸引作用により前記血液導入口から血液を吸引する減圧採血室、及び前記血液と混合する試薬を収容する試薬収容室を有し、前記蓋部材が、前記血液流路から所定量の血液を採取して、前記試薬収容室内に導入する定量採取部を有することを特徴とする。
【０００８】
このようなものであれば、採血管本体が減圧採血室及び試薬収容室を有し、蓋部材が、所定量の血液を採取して、試薬収容室内に導入する定量採取部を有しているので、血液の定量採取及びその血液と試薬との定量混合を簡単且つ確実に行うことができる。
【０００９】
定量採取部の具体的な実施の態様としては、前記定量採取部が、前記採血管本体に対して相対移動することにより、前記血液流路の一部を移動させて、その流路を前記試薬収容室に連通させるものであることが考えられる。これならば、非常に簡単な操作で血液の定量採取及び定量混合を行うことができる。
【００１０】
また、本発明に係る定量採血器具は、前記定量採血管と、その定量採血管が挿入される採血ホルダと、を備えていることを特徴とする。
【発明の効果】
【００１１】
このように構成した本発明によれば、血液の定量採取及びその血液と試薬との定量混合を簡単且つ確実に行うことができる。
【発明を実施するための最良の形態】
【００１２】
以下に、本発明の一実施形態に係る定量採血器具について、図面を参照して説明する。なお、図１は、本実施形態に係る定量採血器具１の縦断面図である。図２は、採血管ホルダ３に定量採血管２を挿入した状態を示す断面図である。図３は、採血後の定量採血管２を示す断面図である。図４は、定量採取部２２２を回転させた後の状態を示す断面図である。
【００１３】
＜装置構成＞
本実施形態に係る定量採血器具１は、図１に示すように、定量採血管２と、採血を行う際に定量採血管２が挿入される採血管ホルダ３とを備えている。
【００１４】
まず、採血管ホルダ３について説明する。
【００１５】
採血管ホルダ３は、図１に示すように、一端（後端部）に開口を有し、その開口から定量採血管２が挿入される円筒状のホルダ本体３１と、そのホルダ本体３１の他端（先端部）に取り付けられ、ホルダ本体３１の外方に延出した穿刺針部３２１と内方に延出した採血管用針部３２２とからなる採血針３２と、を備え、前記採血管用針部３２２が採血に際し定量採血管２の蓋部材２２を刺通するように設けられている。
【００１６】
ホルダ本体３１は、例えば、ポリプロピレン、ポリエチレン、ポリ塩化ビニル、ポリカーボネイト、ポリスチレン等のプラスチックにより一体成形されるものであり、開口が形成されている一端部には、径方向外方に突設されたフランジ部３３が形成されている。
【００１７】
次に、定量採血管２について説明する。
【００１８】
定量採血管２は、真空採血管に定量採血機機能及び定量混合機構を付与したものであり、図１〜図４に示すように、等採血管ホルダ３内に、その後端部の開口から挿入されるもので、一端に開口を有する採血管本体２１と、その開口内に着脱自在に閉塞する蓋部材２２とを備えている。
【００１９】
採血管本体２１は、一端が開口し且つ他端が閉塞された横断面が円形の有底管であり、その内部は、仕切壁２１１によって減圧採血室２１Ａと試薬収容室２１Ｂに区画されている。また、採血管本体２１は、ガラス又はプラスチックから一体成形されるものである。
【００２０】
そして、減圧採血室２１Ａは、所定圧力（例えば真空）に減圧されている。また、試薬収容室２１Ｂは、血液Ｓの前処理に使用する希釈液等の試薬Ｒが収容される部屋であり、採血前に予めその試薬Ｒを収容させている。その収容方法としては、例えば減圧採血室２１Ａを減圧する前に、試薬収容室２１Ｂに所定の試薬を導入し、蓋部材２２により栓をして、試薬を封止する。
【００２１】
また、減圧採血室２１Ａの開口側部分には、蓋部材に設けられた血液流路と連通する流路を備えた肉厚部２１２が形成されている。その肉厚部２１２には、後述する蓋部材２２を取り付けるための固定軸２２４が取り付けられる。
【００２２】
蓋部材２２は、前記採血管本体２１の開口を閉塞するものであり、血液導入口２２１Ａと、その血液導入口２２１Ａ及び採血管本体２１の減圧採血室２１Ａを連通する血液流路を内部に有する。そして、蓋部材２２は、ゴムからなる蓋部材本体２２１と、その基端部（採血管本体２１側）に設けられた定量採取部２２２とを備えている。
【００２３】
蓋部材本体２２１は、一端面に血液導入口２２１Ａを備え、内部に血液流路を形成しており、その先端面に、前記採血管用針部３２２が刺し通されるゴム製の蓋２２３が取り付けられている。
【００２４】
定量採取部２２２は、その内部に前記血液流路の一部を形成しており、採血管本体２１と、蓋部材本体２２１との間で固定軸２２４により回転可能に軸支されている。そして、採血中においては、血液流路が減圧採血室２１Ａに連通するようにしている。これにより、採血管用針部３２２が、前記ゴム製の蓋２２３に刺し通されることにより、減圧採血室２１Ａの減圧吸引作用により、血液Ｓが血液流路内を通って減圧採血室２１Ａ内に流入する。その後、採血者が、定量採取部２２２を１８０度回転させることにより、図４に示すように、定量採取部２２２内に形成された流路のみが切り取られて、その流路が試薬収容室２１Ｂに連通される。
【００２５】
また、定量採取量は、定量採取部２２２内に形成された流路の断面積（太さ）及び定量採取部２２２の厚みを変えること、つまり、定量採取部２２２内に形成された流路の体積を変えることにより、自由に変更することができる。例えば、約１μＬ〜２０μＬ等に変更することができる。
【００２６】
本実施形態においては試薬収容室２１Ｂには、試薬Ｒが収容されているので、定量採血管２を振ることにより、定量採取部２２２により定量採取された血液Ｓ（切り取られた流路内にある血液Ｓ）と、試薬Ｒとが混合される。このとき、試薬収容室２１Ｂ内に収容する試薬Ｒの量を調節することにより、血液Ｓと試薬Ｒとの定量混合が可能となる。
【００２７】
また、定量採取部２２２と採血管本体２１とは、定量採取部２２２が回転移動しても試薬Ｒ及び血液Ｓが外に漏れでない液密となるようにシールされている。
【００２８】
＜使用方法＞
次に、本実施形態に係る定量採血器具１の使用方法について説明する。
【００２９】
まず、採血管ホルダ３の穿刺針部３２１を被採血者の腕などに刺入して、採血管ホルダ３を固定する。次に、その採血管ホルダ３に、定量採血管２をまっすぐ挿入する。そうすると、採血管ホルダ３の採血管用針部３２２が、定量採血管２のゴム製の蓋２２１Ａに刺し通されて（図２参照）、採血針３２と血液流路とが連通し、減圧吸引作用により、血液Ｓが血管から減圧採血室２１Ａに流入する（図３参照）。採血の血流が停止したら直ちに定量採血管２を採血管ホルダ３から抜去する。なお、連続して採血する場合には、採血管ホルダ３を固定したまま定量採血管２を取り替える。採血が終了した場合には、採血管ホルダ３の針３２を抜き出し、消毒などの一般的な措置を行う。
【００３０】
次に、採血管ホルダ３から取り出した定量採血管２の定量採取部２２２を回転させる（図４参照）。その後、定量採血管２を転倒混和する。そして、転倒混和させた後、その定量採血管２を血球カウンタ等の分析装置に導入して測定を行う。
【００３１】
＜本実施形態の効果＞
このように構成した本実施形態に係る定量採血器具１によれば、従来から使用されている真空採血管と同様の手順により採血を行うことができるとともに、定量採取部２２２により一定量の血液Ｓを採取することができるので、簡単且つ確実に血液Ｓの定量採血を行うことができる。
【００３２】
また、血液採取後、定量採取部２２２を回転させるという一動作（１アクション）により、定量採取及び定量混合を同時に行うことができるので、極めて簡単に定量採血及び定量混合を行うことができる。
【００３３】
その上、定量採血及び定量混合を、本器具１により行うことができるので、従来の血液分析装置等の内部に設けられた定量機、試薬混合機構等の一部を省略可能にでき、その結果、血液分析装置の小型化、低コスト化等も実現することができる。
【００３４】
＜その他の変形実施形態＞
なお、本発明は前記実施形態に限られず、その趣旨を逸脱しない範囲で種々の変形が可能であるのは言うまでもない。
【００３５】
例えば、前記実施形態では、試薬収容室２１Ｂ内には、採血前から試薬Ｒを収容しているが、定量採取した後に、試薬収容室２１Ｂ内に試薬Ｒを収容するようにしても良い。
【００３６】
また、前記定量採取部２２２は、採血管本体２１及び蓋部材本体２２１に回転可能に軸支されて回転することにより、定量採取した血液Ｓを試薬収容室２１Ｂ内に導入するようにしているが、その他、例えば図５に示すように、採血管本体２１及び蓋部材本体２２１に対してスライド移動するようにしても良い。このときの定量採取及び定量混合の動作としては、突出部２２２ａを押すだけで良い。
【００３７】
さらに、前記実施形態では、採血管ホルダ３を用いて、定量採血管２に血液Ｓを導入しているが、採血管ホルダ３を用いないものであって良い。
【００３８】
その上、採血管本体２１を光学的に透明な材質により形成して、定量採血管２を吸光度等を測定する分析装置にそのまま導入することもできる。
【００３９】
その他、前述した実施形態や変形実施形態の一部又は全部を適宜組み合わせてよいし、本発明は前記実施形態に限られず、その趣旨を逸脱しない範囲で種々の変形が可能であるのは言うまでもない。
【図面の簡単な説明】
【００４０】
【図１】本発明の一実施形態に係る定量採血器具の模式的断面図。
【図２】同実施形態における採血管ホルダに定量採血管を挿入した状態を示す断面図。
【図３】同実施形態における採血後の定量採血管を示す断面図。
【図４】同実施形態における定量採取部を回転させた後の状態を示す断面図。
【図５】変形実施形態に係る定量採血管の断面図。
【符号の説明】
【００４１】
１      ・・・定量採血器具
２      ・・・定量採血管
２１    ・・・採血管本体
２１Ａ  ・・・減圧採血室
２１Ｂ  ・・・試薬収容室
２２    ・・・蓋部材
２２１  ・・・蓋部材本体
２２１Ａ・・・血液導入口
２２２  ・・・定量採取部
３      ・・・採血ホルダ
【図１】
2008154702.tif 000003
【図２】
2008154702.tif 000004
【図３】
2008154702.tif 000005
【図４】
2008154702.tif 000006
【図５】
2008154702.tif 000007